(57)【要約】【課題】コネクタ装置を小型化する。【解決手段】第１コネクタ３０と第２コネクタ６０とでコネクタ装置を構成する。弾性を有する絶縁材料で第１コネクタ３０の第１ハウジング４０を形成する。第１ハウジング４０の第１ハウジング本体４１に嵌合方向Ｄ２へ延びる２つのスリットを形成してばね部４２を形成する。ばね部４２の上面に第１突起部４３を形成する。弾性を有する絶縁材料で第２コネクタ６０の第２ハウジング７０を形成する。第２ハウジング７０の第２ハウジング本体７１の上面部にほぼＵ字形のスリット７１ａを形成して嵌合方向Ｄ１へ延びる操作部７２を形成する。第１ハウジング本体４１を第２ハウジング本体７１に挿入したときに第１突起部４３に引っ掛かる第２突起部７３を第２ハウジング本体７１に形成する。【選択図】図３
2011238403.tif 000002
【特許請求の範囲】
【請求項１】
第１コネクタと、この第１コネクタと嵌合する第２コネクタとを備えるコネクタ装置において、
前記第１コネクタは、
第１ハウジング本体と、
この第１ハウジング本体に支持されたばね部と、
このばね部に設けられた第１引掛部とを有し、
前記第２コネクタは、
前記第１ハウジング本体を受け容れる第２ハウジング本体と、
この第２ハウジング本体に設けられ、前記第２ハウジング本体が前記第１ハウジング本体を受け容れたとき前記第１引掛部に引っ掛かって前記第２ハウジング本体と前記第１ハウジング本体との分離を妨げる第２引掛部と、
前記第２ハウジング本体に支持され、弾性変形して前記第１引掛部又は前記ばね部に押し付けられて前記第２引掛部に対する前記第１引掛部の引っ掛かり状態を解除する操作部とを有する
ことを特徴とするコネクタ装置。
【請求項２】
前記第１ハウジング本体に対する前記第２ハウジング本体の第１嵌合方向へ前記操作部が延び、
前記操作部の前記第１嵌合方向の後端だけが前記第２ハウジング本体に支持され、
前記第２引掛部が前記第１嵌合方向で前記操作部の先端より前に近接配置されている
ことを特徴とする請求項１記載のコネクタ装置。
【請求項３】
前記第２ハウジング本体が弾性を有する絶縁材料でほぼ筒状に形成され、
前記操作部が、前記第２ハウジング本体にほぼＵ字形の第１スリットを形成することによって形成された
ことを特徴とする請求項２項記載のコネクタ装置。
【請求項４】
前記ばね部が前記第２ハウジング本体に対する前記第１ハウジング本体の第２嵌合方向へ延び、
前記ばね部の前記第２嵌合方向の前端及び後端がそれぞれ前記第１ハウジング本体に支持されている
ことを特徴とする請求項１〜３のいずれか１項記載のコネクタ装置。
【請求項５】
前記ばね部が前記第２ハウジング本体に対する前記第１ハウジング本体の第２嵌合方向へ延び、
前記ばね部の前記第２嵌合方向の後端だけが前記第１ハウジング本体に支持されている
ことを特徴とする請求項１〜３のいずれか１項記載のコネクタ装置。
【請求項６】
前記第１ハウジング本体が弾性を有する絶縁材料でほぼ筒状に形成され、
前記ばね部が、前記第１ハウジング本体に前記第２嵌合方向とほぼ平行な２つの直線状の第２スリットを形成することによって形成された
ことを特徴とする請求項４項記載のコネクタ装置。
【請求項７】
前記第１ハウジング本体が弾性を有する絶縁材料でほぼ筒状に形成され、
前記ばね部が、前記第１ハウジング本体にほぼＵ字形の第３スリットを形成することによって形成された
ことを特徴とする請求項５項記載のコネクタ装置。
【請求項８】
前記第１、第２引掛部がそれぞれ突起部である
ことを特徴とする請求項１〜７のいずれか１項記載のコネクタ装置。
【請求項９】
前記第１引掛部が突起部であり、
前記第２ハウジング本体に前記突起部に対応する孔が設けられ、
前記第２引掛部が、前記第２ハウジング本体の前記孔の周辺部である
ことを特徴とする請求項１〜７のいずれか１項記載のコネクタ装置。
【請求項１０】
前記第２引掛部が突起部であり、
前記ばね部に前記突起部に対応する孔が設けられ、
前記第１引掛部が、前記ばね部の前記孔の周辺部である
ことを特徴とする請求項１〜７のいずれか１項記載のコネクタ装置。
【発明の詳細な説明】
【技術分野】
【０００１】
この発明はコネクタ装置に関する。
【背景技術】
【０００２】
従来、雄ハウジングと雌ハウジングとを備えるコネクタが知られている（下記特許文献１参照）。
【０００３】
雄ハウジングは絶縁性の合成樹脂で形成され、端子収容部とこの端子収容部に連なるフード部とを有する。フード部は角筒状であり、複数の周壁を有する。フード部の上部に位置する周壁の外周面に凸部が形成されている。
【０００４】
雌ハウジングは筒部と本体部とばね部とを有する。筒部は角筒状であり、複数の周壁を有する。本体部は箱状であり、筒部内に収容される。筒部の周壁の内周面と本体部の外周面との間に雄ハウジングのフード部を受け容れる空間が形成される。ばね部は筒部と本体部とを連結する。
【０００５】
筒部はロック突起を有する。ロック突起は筒部の上部に位置する周壁の内周面に形成されている。ロック突起が形成されている周壁には切欠部が形成され、切欠部に包囲された部分がロック解除レバーとして機能する。ロック解除レバーは雄ハウジングの雌ハウジングに対する嵌合方向へ延びている。ロック解除レバーの中央部は筒部の周壁に連なり、ロック解除レバーはシーソーのように回転できる。ロック解除レバーの前側の部分の下面にはロック突起があり、ロック解除レバーの後側の部分の上面には操作用突起が形成されている。
【０００６】
雄ハウジングを雌ハウジングに嵌合したとき、雄ハウジングの凸部が雌ハウジングのロック突起を乗り越え、凸部とロック突起とが引っ掛かる。その結果、雄ハウジングと雌ハウジングとが分離しにくくなる。
【０００７】
雄ハウジングと雌ハウジングとの嵌合状態を解除するには、ロック解除レバーの後側の部分の操作用突起を押し下げればよい。ロック解除レバーの後側の部分の操作用突起が押し下げられると、ロック解除レバーが回転してロック解除レバーの前側の部分がはね上がり、ロック突起が雄ハウジングの凸部から離れる。その結果、雄ハウジングを雌ハウジングから引き抜くことができる。
【先行技術文献】
【特許文献】
【０００８】
【特許文献１】特開２００９−２１８０８７号公報（段落００２４〜００３１、００３３〜００３７、図１、図６等）
【発明の概要】
【発明が解決しようとする課題】
【０００９】
上述のコネクタ（コネクタ装置）では、ロック解除レバーの後側の部分を指で押し下げることによりロック解除レバーの前側の部分をはね上げてロック突起を雄ハウジングの凸部から離すシーソー構造が採用されているので、雌ハウジング内にロック解除レバーの後側の部分を押し下げることができる大きな空間が必要になる。したがって、雌ハウジングの嵌合方向の寸法を大きくしたり、雌ハウジングの上下方向の寸法を大きくしたりしなければならず、コネクタが大型化する。
【００１０】
また、上記シーソー構造の採用によりロック解除レバーの嵌合方向の寸法が大きくなるので、雌ハウジングの嵌合方向の寸法を大きくせざるを得ず、コネクタが大型化する。
【００１１】
この発明はこのような事情に鑑みてなされたもので、その課題はコネクタ装置を小型化することである。
【課題を解決するための手段】
【００１２】
上述の課題を解決するため請求項１記載の発明は、第１コネクタと、この第１コネクタと嵌合する第２コネクタとを備えるコネクタ装置において、前記第１コネクタは、第１ハウジング本体と、この第１ハウジング本体に支持されたばね部と、このばね部に設けられた第１引掛部とを有し、前記第２コネクタは、前記第１ハウジング本体を受け容れる第２ハウジング本体と、この第２ハウジング本体に設けられ、前記第２ハウジング本体が前記第１ハウジング本体を受け容れたとき前記第１引掛部に引っ掛かって前記第２ハウジング本体と前記第１ハウジング本体との分離を妨げる第２引掛部と、前記第２ハウジング本体に支持され、弾性変形して前記第１引掛部又は前記ばね部に押し付けられて前記第２引掛部に対する前記第１引掛部の引っ掛かり状態を解除する操作部とを有することを特徴とする。
【００１３】
上述のように、弾性変形して第１引掛部又はばね部に押し付けられて第２引掛部に対する第１引掛部の引っ掛かり状態を解除する操作部が第２ハウジング本体に支持されているので、例えば指で操作部を押すと、ばね部が撓み、第１引掛部が移動して第２引掛部から離れるので、第１引掛部と第２引掛部との引っ掛かり状態が解除される。このように操作部に加わる指の操作力により第１ハウジングのばね部が押されて変形し、第１引掛部と第２引掛部との引っ掛かり状態が解除されるので、従来のシーソー型のロック解除レバーに較べ、操作部の第１嵌合方向の寸法を小さくすることができ、第２ハウジング本体の第１嵌合方向の寸法を小さくすることができる。
【００１４】
また、従来技術では、シーソー型のロック解除レバーの後側の部分を押したときにロック解除レバーの後側の部分が雄ハウジングにぶつからないだけの大きな空間を雌ハウジング内に確保する必要があった。これに対し、この発明のコネクタ装置では、シーソー型のロック解除レバーを採用する代わりに、上述のように操作部に加わる指の操作力により第１ハウジングのばね部を変形させて第１引掛部と第２引掛部との引っ掛かり状態を解除する構造を採用したことにより、操作部７２と第２ハウジング本体７１との干渉を避けるための大きな空間を第２ハウジング本体７１内に確保する必要がなくなるので、第２ハウジング本体の第１嵌合方向と直交する方向の寸法や第２ハウジング本体の第１嵌合方向の寸法を小さくすることができる。
【００１５】
請求項２記載の発明は、請求項１記載のコネクタ装置において、前記第１ハウジング本体に対する前記第２ハウジング本体の第１嵌合方向へ前記操作部が延び、前記操作部の前記第１嵌合方向の後端だけが前記第２ハウジング本体に支持され、前記第２引掛部が前記第１嵌合方向で前記操作部の先端より前に近接配置されていることを特徴とする。
【００１６】
請求項３記載の発明は、請求項２項記載のコネクタ装置において、前記第２ハウジング本体が弾性を有する絶縁材料でほぼ筒状に形成され、前記操作部が、前記第２ハウジング本体にほぼＵ字形の第１スリットを形成することによって形成されたことを特徴とする。
【００１７】
請求項４記載の発明は、請求項１〜３のいずれか１項記載のコネクタ装置において、前記ばね部が前記第２ハウジング本体に対する前記第１ハウジング本体の第２嵌合方向へ延び、前記ばね部の前記第２嵌合方向の前端及び後端がそれぞれ前記第１ハウジング本体に支持されていることを特徴とする。
【００１８】
請求項５記載の発明は、請求項１〜３のいずれか１項記載のコネクタ装置において、前記ばね部が前記第２ハウジング本体に対する前記第１ハウジング本体の第２嵌合方向へ延び、前記ばね部の前記第２嵌合方向の後端だけが前記第１ハウジング本体に支持されていることを特徴とする。
【００１９】
請求項６記載の発明は、請求項４項記載のコネクタ装置において、前記第１ハウジング本体が弾性を有する絶縁材料でほぼ筒状に形成され、前記ばね部が、前記第１ハウジング本体に前記第２嵌合方向とほぼ平行な２つの直線状の第２スリットを形成することによって形成されたことを特徴とする。
【００２０】
請求項７記載の発明は、請求項５項記載のコネクタ装置において、前記第１ハウジング本体が弾性を有する絶縁材料でほぼ筒状に形成され、前記ばね部が、前記第１ハウジング本体にほぼＵ字形の第３スリットを形成することによって形成されたことを特徴とする。
【００２１】
請求項８記載の発明は、請求項１〜７のいずれか１項記載のコネクタ装置において、前記第１、第２引掛部がそれぞれ突起部であることを特徴とする。
【００２２】
請求項９記載の発明は、請求項１〜７のいずれか１項記載のコネクタ装置において、前記第１引掛部が突起部であり、前記第２ハウジング本体に前記突起部に対応する孔が設けられ、前記第２引掛部が、前記第２ハウジング本体の前記孔の周辺部であることを特徴とする。
【００２３】
請求項１０記載の発明は、請求項１〜７のいずれか１項記載のコネクタ装置において、前記第２引掛部が突起部であり、前記ばね部に前記突起部に対応する孔が設けられ、前記第１引掛部が、前記ばね部の前記孔の周辺部であることを特徴とする。
【発明の効果】
【００２４】
この発明によれば、コネクタ装置を容易に小型化することができる。
【図面の簡単な説明】
【００２５】
【図１】図１はこの発明の第１実施形態のコネクタ装置の嵌合前の状態を示す斜視図である。
【図２】図２は図１に示すコネクタ装置の平面図である。
【図３】図３は図２のIII−III線に沿う断面図である。
【図４】図４は図１に示すコネクタ装置の嵌合状態を示す斜視図である。
【図５】図５は図４に示すコネクタ装置の平面図である。
【図６】図６は図５のVI−VI線に沿う断面図である。
【図７】図７は図１に示すコネクタ装置の嵌合途中の状態を示す斜視図である。
【図８】図８は図７に示すコネクタ装置の平面図である。
【図９】図９は図８のIX−IX線に沿う断面図である。
【図１０】図１０は図６に示すコネクタ装置のロックを解除した状態を示すコネクタ装置の断面図である。
【図１１】図１１は図１に示すコネクタ装置の第１変形例の嵌合状態の斜視図である。
【図１２】図１２は図１に示すコネクタ装置の第２変形例の嵌合状態の斜視図である。
【図１３】図１３はこの発明の第２実施形態のコネクタ装置のロック状態を示す拡大断面図である。
【図１４】図１４は図１３に示すコネクタ装置のロックを解除した状態を示す拡大断面図である。
【図１５】図１５はこの発明の第３実施形態のコネクタ装置のロック状態を示す拡大断面図である。
【図１６】図１６は図１５に示すコネクタ装置のロックを解除した状態を示す拡大断面図である。
【図１７】図１７はこの発明の第４実施形態のコネクタ装置の嵌合前の状態を示す斜視図である。
【図１８】図１８は図１７に示すコネクタ装置のロックを解除した状態を示す拡大断面図である。
【発明を実施するための形態】
【００２６】
以下、この発明の実施の形態を図面に基づいて説明する。
【００２７】
この発明の第１実施形態のコネクタ装置を図１〜図１０に基づいて説明する。
【００２８】
図１〜図３に示すように、コネクタ装置１０は第１コネクタ３０と第２コネクタ６０とを備える。
【００２９】
第１コネクタ３０は雄型のコネクタであり、ケーブル９１に接続される。ケーブル９１は３つの導電線９１ａを有する（図３には１つの導電線９１ａだけが現れている）。第１コネクタ３０は第１ハウジング４０と３つのコンタクト５０（図３には１つのコンタクト５０だけが現れている）とを備える。
【００３０】
第１ハウジング４０は弾性を有する絶縁材料（例えば合成樹脂）で形成され、第１ハウジング本体４１とばね部４２と第１突起部（第１引掛部）４３とコンタクト保持部材４５とを有する。
【００３１】
第１ハウジング本体４１はほぼ角筒状である。ばね部４２は、第１ハウジング本体４１の上面部に２つの直線状のスリット（第２スリット）４１ａを形成することによって形成されている。２つのスリット４１ａはそれぞれ後述する第２ハウジング本体７１に対する第１ハウジング本体４１の嵌合方向（第２嵌合方向）Ｄ２へ延び、互いに平行である。ばね部４２は嵌合方向Ｄ２へ延び、ばね部４２の嵌合方向Ｄ２の前端及び後端はそれぞれ第１ハウジング本体４１に支持されている。ばね部４２の両端を第１ハウジング本体４１に固定する両持ち構造が採用されている。
【００３２】
第１突起部４３はばね部４２の外側の面に形成されている。第１突起部４３はばね部４２の中央部に位置する。第１突起部４３の前側に傾斜面４３ａが形成され、後側に垂直面４３ｂが形成されている（図３参照）。
【００３３】
コンタクト保持部材４５は板状部４５ａと圧入部４５ｂとを有する（図３参照）。板状部４５ａは第１ハウジング本体４１内に固定される。圧入部４５ｂは板状部４５ａの上面に形成されている。圧入部４５ｂには３つの圧入孔４５ｃが形成されている（図３には１つの圧入孔４５ｃだけが現れている）。
【００３４】
コンタクト５０は弾性を有する導体で形成されている。コンタクト５０は接触部５１とばね部５２と圧入部５３と接続部５４とを有する。接触部５１は第２コネクタ６０の後述するコンタクト８０に接触する。ばね部５２は接触部５１に連なり、接触部５１を支持している。圧入部５３はばね部５２に連なる。圧入部５３がコンタクト保持部材４５の圧入孔４５ｃに圧入されることにより、コンタクト５０はコンタクト保持部材４５に固定される。接続部５４は圧入部５３に連なる。接続部５４にはケーブル９１の導電線９１ａが半田付される。コンタクト５０の圧入部５３をコンタクト保持部材４５の圧入孔４５ｃに圧入し、接続部５４に導電線９１ａを半田付けした後、コンタクト保持部材４５を第１ハウジング本体４１に収容し、固定する。
【００３５】
第２コネクタ６０は雌型のコネクタであり、プリント基板９２に実装される。第２コネクタ６０は第２ハウジング７０と３つのコンタクト８０（図３には１つのコンタクト８０だけが現れている）とを備える。
【００３６】
第２ハウジング７０は弾性を有する絶縁材料（例えば合成樹脂）で形成され、第２ハウジング本体７１と操作部７２と第２突起部（第２引掛部）７３とを有する。
【００３７】
第２ハウジング本体７１はほぼ角筒状であり、後壁７１ｂを有する。後壁７１ｂには３つの圧入孔７１ｃが形成されている（図３には１つの圧入孔７１ｃだけが現れている）。操作部７２は第２ハウジング本体７１の上面部にほぼＵ字形のスリット（第１スリット）７１ａを形成することよって形成されている。操作部７２は第１ハウジング本体４１に対する第２ハウジング本体７１の嵌合方向（第１嵌合方向）Ｄ１へ延びている。また、操作部７２の嵌合方向Ｄ１の後端だけが第２ハウジング本体７１に支持されている。すなわち、操作部７２の一端（後端）を第２ハウジング本体７１に固定し、他端（先端）を自由端にした片持ち構造が採用されている。
【００３８】
第２突起部７３は第２ハウジング本体７１の上面部の内側の面に形成されている。第２突起部７３は嵌合方向Ｄ１で操作部７２の先端よりも前に位置する。第２突起部７３と操作部７２の先端とは嵌合方向Ｄ１で近接する位置関係にある。第２突起部７３の前側に傾斜面７３ａが形成され、後側に垂直面７３ｂが形成されている（図３参照）。
【００３９】
第２ハウジング本体７１の下面部には下方へ突出する脚部７４が形成されている。
【００４０】
コンタクト８０は接触部８１と接続部８２と連結部８３とを有する。接触部８１は第１コネクタ３０のコンタクト５０に接触する。接続部８２はプリント基板９２のスルーホール９２ａに挿入され、半田付される。連結部８３はＬ字形に折り曲げられ、接触部８１と接続部８２とを連結する。連結部８３が後壁７１ｂの圧入孔７１ｃに圧入されることにより、コンタクト８０は第２ハウジング本体７１に固定される。
【００４１】
第１コネクタ３０と第２コネクタ６０とを嵌合するには、まず、図１〜図３に示すように、第１コネクタ３０と第２コネクタ６０とを向き合わせ、その後、図４〜図６に示すように、第１コネクタ３０を第２コネクタ６０内に挿入する。
【００４２】
第１コネクタ３０を第２コネクタ６０内に挿入すると、まず、第１コネクタ３０の第１突起部４３の傾斜面４３ａが第２コネクタ６０の第２突起部７３の傾斜面７３ａに接触し（図９参照）、第１突起部４３が下方へ押圧されるので、ばね部４２が撓み、第１突起部４３が下方へ移動し、第１突起部４３が第２突起部７３を乗り越える。第１突起部４３が第２突起部７３を乗り越えると、ばね部４２の復帰力によって第１突起部４３が元の位置に戻り、第１突起部４３の垂直面４３ｂが第２突起部７３の垂直面７３ｂに引っ掛かる（図６参照）。その結果、第１ハウジング本体４１を第２ハウジング本体７１から引き抜こうとしても、簡単に引き抜くことはできなくなり、第１ハウジング本体４１と第２ハウジング本体７１との分離が妨げられる。
【００４３】
第１ハウジング４０の第１突起部４３が第２ハウジング７０の第２突起部７３に引っ掛かった状態を解除するには、図１０に示すように、第２コネクタ６０の操作部７２を指Ｆで押せばよい。押された操作部７２は撓み（弾性変形）、第１コネクタ３０の第１突起部４３が下方へ押されるため、ばね部４２は撓み、第１突起部４３が下方へ移動する。その結果、第１突起部４３の第２突起部７３に対する引っ掛かり状態が解除される。この状態で、第１コネクタ３０を後方へ引っ張れば、第１コネクタ３０を第２コネクタ６０から引き抜くことができる。
【００４４】
第１実施形態によれば、操作部７２に加わる指Ｆの操作力により第１ハウジング４０のばね部４２が押されて変形し、第１突起部４３と第２突起部７３との引っ掛かり状態が解除されるので、従来のシーソー型のロック解除レバーに較べ、操作部７２の嵌合方向Ｄ１の寸法を小さくすることができ、第２ハウジング本体７１の嵌合方向Ｄ１の寸法を小さくすることができる。
【００４５】
また、従来技術では、シーソー型のロック解除レバーの後側の部分を押したときにロック解除レバーの後側の部分が雄ハウジングにぶつからないだけの大きな空間を雌ハウジング内に確保する必要があった。これに対し、第１実施形態のコネクタ装置１０では、シーソー型のロック解除レバーを採用する代わりに、上述のように操作部７２に加わる指の操作力により第１ハウジング４０のばね部４２を変形させて第１突起部４３と第２突起部７３との引っ掛かり状態を解除する構造を採用したことにより、操作部７２と第２ハウジング本体７１との干渉を避ける大きな空間を第２ハウジング本体７１内に確保する必要がなくなるので、第２ハウジング本体７１の上下方向の寸法や第２ハウジング本体７１の嵌合方向Ｄ１の寸法を小さくすることができる。したがって、第２コネクタ６０を小型化することができ、ひいてはコネクタ装置１０を小型化することができる。
【００４６】
次に、この発明の第１実施形態の第１変形例のコネクタ装置を図１１に基づいて説明する。
【００４７】
第１実施形態と共通する部分については同一符号を付してその説明を省略する。以下、第１実施形態との主な相違部分についてだけ説明する。
【００４８】
コネクタ装置１１０は第１コネクタ３０と第２コネクタ１６０とを備える。
【００４９】
第２コネクタ１６０の第２ハウジング本体７１に形成されたスリット（第１スリット）１７１ａはほぼＵ字状であるが、第２ハウジング本体７１を上方から見たときスリット１７１ａの中間部が円弧状である点で、第１実施形態の第２コネクタ６０の第２ハウジング本体７１に形成されたスリット７１ａと異なる。この点を除き、第１実施形態の第２コネクタ６０と第１変形例の第２コネクタ１６０との構成は共通する。
【００５０】
第１変形例によれば、第１実施形態と同様の作用効果を奏する。
【００５１】
次に、この発明の第１実施形態の第２変形例のコネクタ装置を図１２に基づいて説明する。
【００５２】
第１実施形態と共通する部分については同一符号を付してその説明を省略する。以下、第１実施形態との主な相違部分についてだけ説明する。
【００５３】
コネクタ装置１０１０は第１コネクタ３０と第２コネクタ１０６０とを備える。
【００５４】
第２コネクタ１０６０の第２ハウジング本体７１に形成されたスリット（第１スリット）１０７１ａはほぼＵ字状であるが、第２ハウジング本体７１を上方から見たときスリット１０７１ａがＶ字状に近い形である点で、第１実施形態の第２コネクタ６０の第２ハウジング本体７１に形成されたスリット７１ａと異なる。この点を除き、第１実施形態の第２コネクタ６０と変形例の第２コネクタ１０６０との構成は共通する。
【００５５】
第２変形例によれば、第１実施形態と同様の作用効果を奏する。
【００５６】
次に、この発明の第２実施形態のコネクタ装置を図１３、図１４に基づいて説明する。
【００５７】
第１実施形態と共通する部分については同一符号を付してその説明を省略する。以下、第１実施形態との主な相違部分についてだけ説明する。
【００５８】
図１３に示すように、コネクタ装置２１０は第１コネクタ２３０と第２コネクタ６０とを備える。
【００５９】
第１コネクタ２３０の第１ハウジング４０のばね部４２には孔２４３が形成されている。この点を除き、第１実施形態の第１コネクタ３０と第２実施形態の第１コネクタ２３０との構成は共通する。
【００６０】
第１コネクタ２３０の第１ハウジング本体４１が第２コネクタ６０の第２ハウジング本体７１に挿入されたとき、孔２４３は第２突起部７３を受け容れ、ばね部４２の孔２４３の周辺部（第１引掛部）が第２コネクタ６０の第２突起部７３の垂直面７３ｂに引っ掛かる（図１３参照）。
【００６１】
ばね部４２の孔２４３の周辺部と第２突起部７３との引っ掛かり状態を解除するには、図１４に示すように、指Ｆで操作部７２を下方へ押せばよい。操作部７２が押されると、ばね部４２が操作部７２によって直接押されて撓み、それにつれて孔２４３が下方へ移動し、第２突起部７３が孔２４３から相対的に抜け、第２突起部７３とばね部４２の孔２４３の周辺部との引っ掛かり状態が解除される。
【００６２】
第２実施形態によれば、第１実施形態と同様の作用効果を奏する。
【００６３】
次に、この発明の第３実施形態のコネクタ装置を図１５、図１６に基づいて説明する。
【００６４】
第１実施形態と共通する部分については同一符号を付してその説明を省略する。以下、第１実施形態との主な相違部分についてだけ説明する。
【００６５】
図１５に示すように、コネクタ装置３１０は第１コネクタ３０と第２コネクタ３６０とを備える。
【００６６】
第２コネクタ３６０の第２ハウジング７０の第２ハウジング本体７１には、孔３７３が形成されている。この点を除き、第１実施形態の第２コネクタ６０と第３実施形態の第２コネクタ３６０との構成は共通する。
【００６７】
第１コネクタ３０の第１ハウジング本体４１が第２コネクタ３６０の第２ハウジング本体７１に挿入されたとき、孔３７３は第１突起部４３を受け容れ、第２ハウジング本体７１の孔３７３の周辺部（第２引掛部）が第１突起部４３の垂直面４３ｂに引っ掛かる（図１５参照）。
【００６８】
第１突起部４３と第２ハウジング本体７１の孔３７３の周辺部との引っ掛かり状態を解除するには、図１６に示すように、指Ｆで操作部７２を下方へ押せばよい。操作部７２が押されると、ばね部４２が操作部７２によって直接押されて撓み、それにつれて第１突起部４３が下方へ移動し、第１突起部４３が孔３７３から抜け、第１突起部４３と第２ハウジング本体７１の孔３７３の周辺部との引っ掛かり状態が解除される。
【００６９】
第３実施形態によれば、第１実施形態と同様の作用効果を奏する。
【００７０】
第３実施形態の変形例としては、第２ハウジング本体７１の孔３７３がスリット７１ａに通じたものが考えられる。
【００７１】
次に、この発明の第４実施形態のコネクタ装置を図１７に基づいて説明する。
【００７２】
第１実施形態と共通する部分については同一符号を付してその説明を省略する。以下、第１実施形態との主な相違部分についてだけ説明する。
【００７３】
図１７に示すように、コネクタ装置４１０は第１コネクタ４３０と第２コネクタ４６０とを備える。
【００７４】
第１コネクタ４３０の第１ハウジング４０の第１ハウジング本体４１の上面部に、ほぼＵ字形のスリット（第３スリット）４４１ａを形成することによって片持ち構造のばね部４２が形成されている。ばね部４２は嵌合方向Ｄ２へ延びている。ばね部４２の外側の面に第１突起部４３が形成されている。第１突起部４３はばね部４２の中央部に位置する。
【００７５】
操作部７２を指Ｆで押すと、図１８に示すように、操作部７２は撓み、第１コネクタ４３０の第１突起部４３が下方へ押されるため、ばね部４２は撓み、第１突起部４３が下方へ移動する。その結果、第１突起部４３の第２突起部７３に対する引っ掛かり状態が解除される。
【００７６】
第４実施形態によれば、第１実施形態と同様の作用効果を奏する。
【００７７】
なお、上述の実施形態等では、第１ハウジング４０のばね部４２と第２ハウジング７０の操作部７２との一方に両持ち型の支持構造を採用し、他方に片持ち型の支持構造を採用したが、両方とも両持ち型又は片持ち型の支持構造を採用してもよい。
【００７８】
また、片持ち型の支持構造において、第１コネクタ４３０のばね部４２の固定端は嵌合方向Ｄ２の後側、前側のいずれの側でもよいし、第１コネクタ４３０の高さ方向ＤＨ１及び嵌合方向Ｄ２と直交する左右方向ＤＷ１の左側、右側のいずれの端側でもよい。これに対し、第２コネクタ６０，１６０，１０６０，３６０の操作部７２の固定端は嵌合方向Ｄ１の後側でもよいし、第２コネクタ６０，１６０，１０６０，３６０の高さ方向ＤＨ２及び嵌合方向Ｄ１と直交する左右方向ＤＷ２の左側、右側のいずれの側でもよい。
【００７９】
なお、上述の実施形態等では、第１ハウジング本体４１の上面部にスリット４１ａ，４４１ａを形成して第１ハウジング本体４１の上面部の一部をばね部４２にしたが、ハウジング本体４１の上面部にスリット４１ａ，４４１ａを形成する代わりに、第１ハウジング本体４１の上面部全体を弾性変形できるように薄くして、上面部全体をばね部にするようにしてもよい。
【００８０】
また、上述の実施形態等では、ばね部４２が嵌合方向Ｄ２へ延びているが、ばね部４２を嵌合方向Ｄ２へ延ばさなくてもよい。例えば、第１コネクタ３０，２３０，４３０の高さ方向ＤＨ１及び嵌合方向Ｄ２と直交する左右方向ＤＷ１へ延ばしてもよい。
【符号の説明】
【００８１】
１０，１１０，１０１０，２１０，３１０，４１０  コネクタ装置
３０，２３０，４３０  第１コネクタ
４１  第１ハウジング本体
４１ａ  スリット（第２スリット）
４４１ａ  スリット（第３スリット）
４２  ばね部
４３  第１突起部(第１引掛部)
２４３  孔
６０，１６０，１０６０，３６０，４６０  第２コネクタ
７１  第２ハウジング本体
７１ａ，１７１ａ，１０７１ａ，４７１ａ  スリット（第１スリット）
７２  操作部
７３  第２突起部（第２引掛部）
３７３  孔
Ｄ１  嵌合方向（第１嵌合方向）
Ｄ２  嵌合方向（第２嵌合方向）
ＤＨ１  高さ方向
ＤＨ２  高さ方向
ＤＷ１，ＤＷ２  左右方向
【図１】
2011238403.tif 000003
【図２】
2011238403.tif 000004
【図３】
2011238403.tif 000005
【図４】
2011238403.tif 000006
【図５】
2011238403.tif 000007
【図６】
2011238403.tif 000008
【図７】
2011238403.tif 000009
【図８】
2011238403.tif 000010
【図９】
2011238403.tif 000011
【図１０】
2011238403.tif 000012
【図１１】
2011238403.tif 000013
【図１２】
2011238403.tif 000014
【図１３】
2011238403.tif 000015
【図１４】
2011238403.tif 000016
【図１５】
2011238403.tif 000017
【図１６】
2011238403.tif 000018
【図１７】
2011238403.tif 000019
【図１８】
2011238403.tif 000020